(57)【要約】【課題】  収容されているディスクメディアに塵埃が付着することを充分に防止したディスクカートリッジを提供することを課題とする。【解決手段】  ディスクカートリッジ１０は、収容された円盤状のディスクメディア１２へのアクセス用の開口７４が形成されたケース１４を有する。このケース１４は、上シェル２４と下シェル２６とで構成され、下シェル２６の後側のコーナー部２１Ｒ、２１Ｌには、粘着シート２７Ｒ、２７Ｌがそれぞれ設けられている。これにより、ケース１４内に入った塵埃は、塵埃が滞留し易いコーナー部２１Ｒ、２１Ｌで粘着シート２７Ｒ、２７Ｌによって吸着される。【選択図】        図２
2005129135.tif 000002
【特許請求の範囲】
【請求項１】
収容された円盤状のディスクメディアへのアクセス用の開口が形成されたケースを有するディスクカートリッジにおいて、
前記ケース内に入った塵埃を吸着する吸着手段が前記ケース内に設けられていることを特徴とするディスクカートリッジ。
【請求項２】
前記ケースが平面視略四角形状であって、前記ケースのコーナー部の少なくとも一つに、前記吸着手段として粘着シートが設けられていることを特徴とする請求項１に記載のディスクカートリッジ。
【請求項３】
前記粘着シートが両面に粘着面を有して、前記コーナー部の底面に貼り付けられていることを特徴とする請求項２に記載のディスクカートリッジ。
【請求項４】
前記開口を開閉するシャッター部材と、
前記ディスクメディアが回転可能に載置される円板部を有し、ドライブ装置から回動力を受けて回動することにより前記シャッター部材に開閉力を与えるインナロータと、
が前記ケース内に設けられているディスクカートリッジであって、
前記円板部に多数の開孔が形成されていることを特徴とする請求項１〜３のうち何れか１項に記載のディスクカートリッジ。
【請求項５】
前記円板部の単位面積あたりの開孔数が、前記円板部の内周部よりも外周部のほうが多いことを特徴とする請求項４に記載のディスクカートリッジ。
【請求項６】
前記インナロータが、前記円板部と、前記円板部の外周部に立設するリング状のガイドリブと、で構成され、
前記ガイドリブのうち、前記シャッター部材を開放状態としたときに前記粘着シートが設けられた前記コーナー部に隣接する隣接リブ部分に切欠が形成されていることを特徴とする請求項４又は５に記載のディスクカートリッジ。
【発明の詳細な説明】
【技術分野】
【０００１】
本発明は、情報や映像の記録再生媒体として用いられる円盤状のディスクメディアをケース内に回転可能に収容したディスクカートリッジに関する。
【背景技術】
【０００２】
例えば、可搬性を有するコンピュータ用の記録再生媒体や映像の記録再生媒体として、光ディスクや光磁気ディスク等の円盤状のディスクメディアが用いられている。このようなディスクメディアは、記録または再生を行なう際には、ディスクドライブ装置に装填された状態でスピンドル軸によって回転されつつ、レーザヘッドによって記録面へレーザ光が照射される。これにより、ディスクメディアでは、記録面の色素層分解によるピット形成や相変化、磁化等によって情報の記録が為され、またはレーザ光の反射率や偏光角の相違に基づいて記録された情報の再生が行われるようになっている。
【０００３】
このようなディスクメディアの高記録容量化に伴い、ディスクメディアの記録面（記録面を被覆するカバー層）への塵埃の付着を防止するために、ディスクメディアをケースの内部に収容したディスクカートリッジが知られている（例えば、特許文献１乃至特許文献４参照）。このようなディスクカートリッジの一例を図１０に基づいて説明する。
【０００４】
図１０に分解斜視図にて示すディスクカートリッジ２００は、ディスクメディア２０２を回転可能に収容したケース２０４の底板（下シェル）２０４Ａにディスクメディア２０２の軸心部及び記録面にアクセスるするための開口２０６が設けられており、この開口２０６がそれぞれディスクメディア２０２と底板２０４Ａとの間に摺動可能に配設された一対のシャッター部材２０８によって開閉されるようになっている。一対のシャッター部材２０８は、互いに略同形状である略半円状に形成されている。
【０００５】
シャッター部材２０８と対面する底板２０４Ａの内壁面側には一対のカム突起２２７が形成され、各シャッター部材２０８には、各カム突起２２７が入り込むカム溝２２９がそれぞれ設けられている。各カム溝２２９は直線スリット状に形成されており、かつ組付状態で互いに平行となるように設けられている。
【０００６】
すなわち、各カム溝２２９は、各カム突起２２７と同様に、後述のインナロータ２１０の回転中心に対し互いに対称となるように設けられている。また、各カム溝２２９は、シャッター部材２０８を板厚方向に貫通しており、カム突起２２７との係合深さを確保するようになっている。
【０００７】
そして、ディスクメディア２０２とシャッター部材２０８との間には、インナロータ２１０がディスクメディア２０２とは独立して回転可能に配設されている。インナロータ２１０は、その回転軸線に対し互いに対称に位置する一対の支持突起２１０Ａにそれぞれのシャッター部材２０８の一端部に設けられた軸孔２０８Ａを係合させており、各シャッター部材２０８を支持突起２１０Ａ廻りに回動自在に軸支している。
【０００８】
このような構成により、インナロータ２１０がドライブ装置に操作されて回転すると、各シャッター部材２０８は、底板２０４Ａとの間に設けられたカム機構によってそれぞれの支持突起２１０Ａ廻りに回動し、開口２０６を閉塞する閉塞位置と開口２０６を開放する開放位置との間を移動するようになっている。インナロータ２１０は、ディスクメディア２０２の不使用時には図示しないロック部材によって回転が阻止されており、一対のシャッター部材２０８を閉塞位置に保持している。
【０００９】
ところで、このようなディスクカートリッジでは、近年、大容量化、高記録密度化、狭トラック化が益々進んできており、微小寸法の塵埃や、微小量の塵埃がディスクメディアに付着しても記録、再生に致命的な支障が生じる。このため、ディスクカートリッジの組立工程におけるクリーン度の向上、ケース構造の変更等による防塵機構の採用などの対策が実施されている。
【特許文献１】特開２００３−１１５１８４号公報
【特許文献２】特開２００３−１１５１８１号公報
【特許文献３】特開２００３−１１５１８２号公報
【特許文献４】特開２００３−１１５１８３号公報
【発明の開示】
【発明が解決しようとする課題】
【００１０】
しかし、このような従来の対策では、今後ますます進展すると想定される大容量化、高記録密度化、狭トラック化に対応するには不充分であり、塵埃対策の不充分によるディスクカートリッジの品質低下が懸念される。
【００１１】
本発明は上記事実を考慮し、収容されているディスクメディアに塵埃が付着することを充分に防止したディスクカートリッジを提供することを課題とする。
【課題を解決するための手段】
【００１２】
本発明者は、ディスクカートリッジのケース内に微小寸法の塵埃が入ることを防止する構造について検討を重ねた。しかし、ディスクメディアの回転に伴ってケース内に吸い込まれる塵埃を完全に防止するのは困難であった。
【００１３】
ここで、本発明者は、ケース内壁やディスクメディアに付着した塵埃は、ディスクメディアの回転により吹き飛ばされて再浮遊し、記録領域に再付着して新たな欠陥原因となっていることに着目した。そして、ケース内に入り込んだ塵埃の再浮遊を防止することを考え付き、鋭意検討を重ね、本発明を完成するに至った。
【００１４】
請求項１に記載の発明は、収容された円盤状のディスクメディアへのアクセス用の開口が形成されたケースを有するディスクカートリッジにおいて、前記ケース内に入った塵埃を吸着する吸着手段が前記ケース内に設けられていることを特徴とする。
【００１５】
これにより、主として開口からケース内に入った塵埃は吸着手段によって吸着される。従って、ケース内壁やディスクメディア等に付着して再浮遊する塵埃の量を大幅に低減できる。また、寸法が大きい塵埃ほど、この吸着手段で吸着し易い。従って、大きい寸法の塵埃が再浮遊することを充分に防止できる。
【００１６】
請求項２に記載の発明は、前記ケースが平面視略四角形状であって、前記ケースのコーナー部の少なくとも一つに、前記吸着手段として粘着シートが設けられていることを特徴とする。
【００１７】
これにより、自重により粘着シート上に落下した塵埃を吸着することができるので、吸着手段の構成を簡素にでき、大幅なコスト低減を実現できる。また、ケースコーナー部には吹き溜まりが形成され易いので、塵埃が滞り易い。従って、塵埃を効率的に吸着することができる。
【００１８】
請求項３に記載の発明は、前記粘着シートが両面に粘着面を有して、前記コーナー部の底面に貼り付けられていることを特徴とする。
【００１９】
これにより、粘着シートを著しく容易に配置することができる。
【００２０】
請求項４に記載の発明は、前記開口を開閉するシャッター部材と、前記ディスクメディアが回転可能に載置される円板部を有し、ドライブ装置から回動力を受けて回動することにより前記シャッター部材に開閉力を与えるインナロータと、が前記ケース内に設けられているディスクカートリッジであって、前記円板部に多数の開孔が形成されていることを特徴とする。
【００２１】
これにより、インナロータ内を浮遊している塵埃が、自重やケース内の空気流によって開孔から下方へ排出され易い。また、インナロータの軽量化を実現できる。更に、インナロータを成形により製造する際、開孔を形成していることによりインナロータを冷却させ易いので、成形にかかる時間の短縮化を図ることができる。
【００２２】
ところで、インナロータ内では、塵埃は外周部のほうへ浮遊していく。そこで、請求項５に記載の発明は、前記円板部の単位面積あたりの開孔数が、前記円板部の内周部よりも外周部のほうが多いことを特徴とする。
【００２３】
これにより、インナロータから効率的に塵埃を下方へ排出することができる。
【００２４】
請求項６に記載の発明は、前記インナロータが、前記円板部と、前記円板部の外周部に立設するリング状のガイドリブと、で構成され、前記ガイドリブのうち、前記シャッター部材を開放状態としたときに前記粘着シートが設けられた前記コーナー部に隣接する隣接リブ部分に切欠が形成されていることを特徴とする。
【００２５】
これにより、インナロータから効率的に塵埃を側方へ排出することができる。
【発明の効果】
【００２６】
本発明は、上記構成としたので、収容されているディスクメディアに塵埃が付着することを充分に防止したディスクカートリッジが実現される。
【発明を実施するための最良の形態】
【００２７】
本発明の一実施形態に係るディスクカートリッジ１０について、図１乃至図８に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２８】
（ディスクカートリッジの全体構成）
図１には、ディスクカートリッジ１０の外観形状が斜視図にて示されており、図２にはディスクカートリッジ１０が分解斜視図にて示されている。これらの図に示される如く、ディスクカートリッジ１０は、円盤状に形成された情報記録再生媒体としてのディスクメディア１２と、上シェル２４と下シェル２６とで構成されディスクメディア１２を回転可能に収容するケース１４と、ディスクメディア１２へアクセスするため下シェル２６に形成された開口１６を開閉可能な一対のシャッター部材１８と、ドライブ装置に回動操作されてシャッター部材１８を駆動し開口１６を開閉させるインナロータ２０と、ディスクメディア１２の不使用時にインナロータ２０の回動を阻止し開口１６の閉塞状態を維持するためのロック部材２２と、を主要構成要素として構成されている。
【００２９】
ディスクメディア１２は、その軸心部に図示しないディスクドライブ装置の回転スピンドル軸に係合保持されるセンタ孔１２Ａを有すると共に、その下面に形成された記録面１２Ｂがカバー層（何れも図示省略）にて被覆保護されている。
【００３０】
記録面１２Ｂは、ディスクメディア１２の下面における外周近傍及びセンタ孔１２Ａ周りの所定範囲を除く部分に環状に形成されており、ディスクメディア１２の下面におけるセンタ孔１２Ａと記録面１２Ｂとの間の領域は、ドライブ装置の回転スピンドル軸がディスクメディア１２を保持するためのチャッキングエリア１２Ｃとされている。なお、本実施の形態では、ディスクメディア１２の直径（外径）は略１２０ｍｍとされている。
【００３１】
（ケース）
ディスクメディア１２を収容するケース１４は、上シェル２４と下シェル２６とを接合して略矩形の扁平容器状に構成されている。具体的には、ケース１４は、平面視で前縁部が左右略対称の円弧状に形成されると共に、後端両角隅部が斜めに切り欠かれたような形状とされており、この形状によってドライブ装置の誤装填を防止するようになっている。
【００３２】
以下、ケース１４について具体的に説明する。
【００３３】
図３に示される如く、上シェル２４は、平面視でケース１４の形状に対応した形状の天板２８と、天板２８の外縁に略沿って下方に立設された周壁３０と、を備えている。
【００３４】
天板２８の右端部には、右側の周壁３０よりも右方に張り出した上側溝壁３２が前後方向の略全長に亘り延設されている。この上側溝壁３２は、図４に示す下シェル２６の後述する下側溝壁４８と共にケース１４の右側部に前後方向に長手でかつ前方及び右方に開口するガイド溝５０を構成するようになっている。
【００３５】
また、天板２８の下面における周壁３０の内側には、底面視で円環状に形成された内壁３４が立設している。ここで、上シェル２４は、内壁３４の内側にディスクメディア１２を収容するようになっており、内壁３４の外周面は、図２に示すインナロータ２０の後述する環状壁７２を周方向に摺動可能とするガイド面とされている。
【００３６】
また、周壁３０には、上シェル２４の右側部の前後方向中央部を切り欠いた切欠き部３０Ａが設けられており、この切欠き部３０Ａが下シェル２６の後述する切欠き部４４Ａと共に、インナロータ２０を外部（ガイド溝５０）に露出させるシャッター操作窓５２を構成するようになっている。
【００３７】
さらに、天板２８の下面における右前角隅部からは、図２に示すロック部材２２を揺動可能に軸支するロック支軸３６が突設されている。このロック支軸３６は周壁３０と内壁３４との間に位置しており、ロック支軸３６の後方でかつ切欠き部３０Ａの前方には、周壁３０を切り欠いて切欠き部３０Ｂが形成されている。切欠き部３０Ｂは、下シェル２６の後述する切欠き部４４Ｂと共に、ロック部材２２の解除操作部８８をガイド溝５０に突出するためのロック解除窓５４を構成するようになっている。
【００３８】
天板２８の下面におけるロック支軸３６の左方には、第１ストッパ３８が前側の周壁３０から連続して立設されており、インナロータ２０の閉塞側の回動規制用とされている。また、天板２８の下面後端近傍における左右方向中央部よりも若干右側部分には、第２ストッパ４０が後側の周壁３０から連続して設けられており、インナロータ２０の開放側の回動規制用とされている。
【００３９】
一方、図２及び図４に示される如く、下シェル２６は、上シェル２４の天板２８に略対応した形状の底板４２と、周壁３０に略対応した形状の周壁４４とを備えている。底板４２には、上記開口１６が設けられている。開口１６は、ディスクメディア１２のセンタ孔１２Ａの外径より大径でかつチャッキングエリア１２Ｃの外径（記録面１２Ｂの内径）よりも若干小径とされた略円形状のハブ孔１６Ａと、ハブ孔１６Ａの左右方向に沿う中心線の前方に連設された略矩形状の記録再生ヘッド用窓部１６Ｂとで構成され、全体として前方に開口する略Ｕ字状に形成されている。
【００４０】
ハブ孔１６Ａは、上シェル２４と下シェル２６とが接合された状態で、内壁３４内に収容されたディスクメディア１２と略同軸となるように配置されている。ハブ孔１６Ａは、上記寸法とされることで、センタ孔１２Ａ及びチャッキングエリア１２Ｃのみを外部に露出し、記録面１２Ｂを外部に露出しない構成とされている。
【００４１】
また、記録面１２Ｂを露出するための記録再生ヘッド用窓部１６Ｂは、その左縁がハブ孔１６Ａの前後方向に沿う接線よりも左方に位置するように拡幅されており、その前部は周壁４４をも切り欠いて下シェル２６の前方にも開口している。
【００４２】
ハブ孔１６Ａには、ドライブ装置の回転スピンドル軸が進入してディスクメディア１２のセンタ孔１２Ａを係合保持しつつ該ディスクメディア１２を回転駆動するようになっており、記録再生ヘッド用窓部１６Ｂには、ドライブ装置の記録再生ヘッドが進入してディスクメディア１２の記録面１２Ｂに対する情報の記録または再生を行なうようになっている。
【００４３】
そして、記録再生ヘッド用窓部１６Ｂが前方にも開口していることによって、記録再生ヘッドが記録面１２Ｂの外周部まで容易にアクセスすることができるようになっている。なお、ハブ孔１６Ａと記録再生ヘッド用窓部１６Ｂとは、互いに独立して設けられても良い。
【００４４】
この底板４２における記録再生ヘッド用窓部１６Ｂの左右両縁部の前端近傍には、それぞれ前端が周壁４４に連続する防塵リブ４６が立設されている。各防塵リブ４６は、その高さがシャッター部材１８の厚みと同等とされており、それぞれの上面をインナロータ２０が摺動するようになっている。また、各防塵リブ４６の後端部は、開口１６を閉塞しているシャッター部材１８にそれぞれ接触するように、それぞれの位置が決められている。
【００４５】
また、底板４２の右端部には、右側の周壁４４よりも右方に張り出した下側溝壁４８が前後方向の略全長に亘り延設されている。この下側溝壁４８が図３に示す上シェル２４の上側溝壁３２と対向して、ケース１４の右側部にガイド溝５０が形成される構成である。
【００４６】
このガイド溝５０は、上シェル２４と下シェル２６との接合によって互いに上下端面を突き当てられた周壁３０、４４の溝底とされており、上記の通りケース１４の前後方向に長手でかつ前方及び右方に開口すると共に本実施の形態では後方にも開口している。
【００４７】
さらに、下シェル２６の右側部における周壁４４には、周壁３０の切欠き部３０Ａに対応して形成された切欠き部４４Ａと、切欠き部３０Ｂに対応して形成された切欠き部４４Ｂとが設けられている。
【００４８】
これにより、上シェル２４と下シェル２６とを接合したケース１４には、ガイド溝５０の溝底における長手方向中央部で開口するシャッター操作窓５２と、シャッター操作窓５２の前方でガイド溝５０の溝底に開口するロック解除窓５４とが形成される構成である。
【００４９】
また、底板４２における開口１６を挟む左右両側には、それぞれカム突起５６が突設されている。一対のカム突起５６は、ハブ孔１６Ａの軸心、より正確にはインナロータ２０の回転中心に対し互いに対称となる位置に配置されている。
【００５０】
これらのカム突起５６は、それぞれ異なるシャッター部材１８のカム溝６６（後述）に入り込んで該カム溝６６と共に確動カムを構成し、ケース１４とインナロータ２０との相対回動によってシャッター部材１８を開口１６の閉塞位置と開放位置との間で移動させるようになっている。
【００５１】
以上説明した下シェル２６は、周壁４４の上端面を周壁３０の下端面に突き当てた状態で、ビス止めによって上シェル２４に接合されてケース１４を構成している。なお、上シェル２４と下シェル２６とは、ビス止めに代えて、例えば周壁３０、４４を超音波溶着等によって接合しても良い。
【００５２】
（ケース内の塵埃の吸着機構）
図１、図４に示すように、ケース１４は平面視略正方形であり、下シェル２６の後側（すなわちＡ方向と反対方向側）の２つのコーナー部２１Ｒ、２１Ｌには、それぞれ、上シェル２４の内壁３４に沿うように補強リブ２３Ｒ、２３Ｌが立設されている。そして、補強リブ２３Ｒ、２３Ｌと周壁４４とで形成されるコーナーゾーン２５Ｒ、２５Ｌには粘着シート２７Ｒ、２７Ｌがそれぞれ設けられている。粘着シート２７Ｒ、２７Ｌは両面に粘着面を有する市販の粘着シートであり、所定形状に切断して下シェル２６の底面に貼付することにより配置されている。
【００５３】
また、補強リブ２３Ｒ、２３Ｌには、それぞれ、ケース１４内の塵埃がコーナーゾーン２５Ｒ、２５Ｌに入り易いように切欠２９Ｒ、２９Ｌが形成されている。なお、インナロータ２０の開放側ストッパ部８２に近いほうの切欠２９の形成位置は、開放側ストッパ部８２の動作に支障がない位置となるように配慮されている。
【００５４】
更に、インナロータ２０の環状壁７２にも切欠７３Ｒ、７３Ｌが形成されている。そして、シャッター部材１８を開放位置とする位置にインナロータ２０回動したときに、切欠７３Ｒ、７３Ｌが補強リブ２３Ｒ、２３Ｌの切欠２９Ｒ、２９Ｌにそれぞれ重なり合ってインナロータ２０内とコーナーゾーン２５Ｒ、２５Ｌとが連通するように、切欠７３Ｒ、７３Ｌの形成位置が決められている。これにより、インナロータ２０内の塵埃が効率良くコーナーゾーン２５Ｒ、２５Ｌに入るようになっている。
【００５５】
（シャッター部材及びその開閉機構）
一対のシャッター部材１８は、それぞれ略半円平板状に形成されており、互いの弦部である突合せ部６０、６２を突き合せて、下シェル２６に形成された開口１６の一部を閉塞可能とされている。
【００５６】
すなわち、一対のシャッター部材１８は、互いの突合せ部６０、６２を突き合せてハブ孔１６Ａ及び記録再生ヘッド用窓部１６Ｂの前端近傍の一部を除く部分を閉塞する閉塞位置（図６参照）と、各突合せ部６０、６２を開口１６の左右の縁部に略一致させて開口１６を開放する開放位置（図８参照）とを取り得るように形成されている。
【００５７】
ここで、閉塞位置に位置する一対のシャッター部材１８は、互いの突合せ部６０、６２を上下に重ね合わせてケース１４内への塵芥の侵入を阻止するようになっている。
【００５８】
具体的には、各シャッター部材１８の突合せ部６０、６２には段部６３が形成されており、該段部６３を境にして長手方向一方側には上面に沿った薄肉部である庇部６５が形成されると共に、他方側には下面に沿った薄肉部である庇部６７が形成されている。
【００５９】
そして、一対のシャッター部材１８が閉塞位置に位置するときには、一方のシャッター部材１８の庇部６５の下側に他方のシャッター部材１８の庇部６７が重ね合わされると共に、一方のシャッター部材１８の庇部６７の上側に他方のシャッター部材１８の庇部６５が重ね合わされるようになっている。各庇部６５、６７の相手方との重ね合わせ面は、該相手方を誘い込むように緩やかな傾斜面とされている。
【００６０】
一方、各シャッター部材１８の弦部の長手方向一端部近傍には、それぞれ軸孔６４が設けられており、各軸孔６４はシャッター部材１８のインナロータ２０への軸支用とされている。また、各シャッター部材１８には、下シェル２６に形成されたカム突起５６が入り込むカム溝６６がそれぞれ設けられている。
【００６１】
各カム溝６６は、それぞれのシャッター部材１８における軸孔６４の軸心を通る直線方向に長手の直線スリット状に形成されており、かつ組付状態で互いに平行となるように設けられている。
【００６２】
すなわち、各カム溝６６は、各カム突起５６と同様に、インナロータ２０の回転中心に対し互いに対称となるように設けられている。また、各カム溝６６は、シャッター部材１８を板厚方向に貫通しており、カム突起５６との係合深さを確保するようになっている。
【００６３】
さらに、少なくとも一方のシャッター部材１８には、弧部から張り出した防塵部６８が設けられている。この防塵部６８は、該一方のシャッター部材１８が閉塞位置に配置されたとき、開口１６の右縁側に位置する防塵リブ４６の後端面に当接し底板４２の上面とインナロータ２０の円板部７０（後述）の下面との隙間を埋めるようになっている（図６参照）。
【００６４】
また、この一方のシャッター部材１８における軸孔６４近傍の端部が、閉塞位置に配置されたときに他方の防塵リブ４６の後端面に当接し、底板４２上面と円板部７０下面との隙間を埋めるようになっている。なお、防塵部６８は、各シャッター部材１８にそれぞれ設けても良い。
【００６５】
一方、図２に示すように、インナロータ２０は、円板状に形成された円板部７０と、円板部７０の外周に沿って上方に立設された環状壁７２とを備えている。また、円板部７０には、開口１６とほぼ同じ形状の開口７４が設けられており、開口７４は、その円板部７０の外周側の端部において、環状壁７２の下部を下シェル２６の周壁４４の高さに相当する分だけ切り欠いてインナロータ２０の径方向外側にも開口している。
【００６６】
このインナロータ２０は、上記の通り上シェル２４の内壁３４に周方向に摺動可能に外嵌し、ケース１４に対しディスクメディア１２とは独立して回転可能に支持される構成である。そして、インナロータ２０は、この回転（回動）によって、ケース１４の底板４２との間に配置される一対のシャッター部材１８を、これらの間で摺動させつつ閉塞位置と開放位置との間を移動させるようになっている。
【００６７】
また、円板部７０の下面におけるインナロータ２０の回転中心に対し対称となる２箇所からはそれぞれ支持突起７６が突設されており、各支持突起７６にはそれぞれ異なるシャッター部材の軸孔６４が回動自在に係合している。
【００６８】
すなわち、各シャッター部材１８は、インナロータ２０にそれぞれの支持突起７６廻りの回動自在に軸支されており、それぞれの支持突起７６廻りに回動して閉塞位置と開放位置とを取り得るようになっている。
【００６９】
上記の如く各シャッター部材１８のカム溝６６にケース１４のカム突起５６が入り込んでそれぞれ確動カムを構成しており、ケース１４に対するインナロータ２０の相対回動によって、一対のシャッター部材１８が閉塞位置と開放位置との間で駆動されるようになっている。
【００７０】
具体的には、図６に示される如く、一対のシャッター部材１８が閉塞位置に配置されると、インナロータ２０は、その開口７４が開口１６に対し左側に所定角度（略５０°乃至６０°）ずれた位置に回転しており、その円板部７０及び環状壁７２によって開口１６の前部（シャッター部材１８によって閉塞されない部分）を内側から閉塞している。このとき、各カム突起５６がそれぞれインナロータ２０に近い方の案内リブ端部に入り込んでいる。
【００７１】
この状態から図７に示される如くインナロータ２０をケース１４に対し矢印Ｄ方向に回転すると、各シャッター部材１８は、それぞれのカム溝６６の溝壁がカム突起５６によって矢印Ｄとは略反対向きの矢印Ｅ方向に押圧され、それぞれの支持突起７６廻りに互いに離間する方向に回転する構成である。
【００７２】
そして、図８に示される如く、インナロータ２０が開口７４をケース１４の開口１６と一致させる位置まで回転すると、各シャッター部材１８の突合せ部６０、６２が開口１６、７４の左右の縁部に略一致して位置し、開口１６が完全に開放される（各シャッター部材１８が開放位置に至る）構成である。この状態では、各カム突起５６は、カム溝６６内で、軸孔６４から近い方の端部に入り込んでいる。
【００７３】
一方、この開口１６の開放状態からインナロータ２０を矢印Ｄとは反対向きの矢印Ｆ方向に回転すると、上記の動作とは逆の動作によって、一対のシャッター部材１８が閉塞位置（図６に示す状態）に復帰するようになっている。
【００７４】
これらの図６乃至図８から判るように、一対のシャッター部材１８は、ケース１４に対してはインナロータ２０の回動に伴う回動と該インナロータ２０に対する支持突起７６廻りの回動とを重ね合わせた運動を行なうが、シャッター部材１８同士で見ると、互いの突合せ部６０、６２（互いのカム溝６６）を平行に維持したまま互いに接離する構成とされている。
【００７５】
また、図５及び図６に示される如く、インナロータ２０の環状壁７２の外周部における周方向の一部には、被駆動ギヤ部７８が径方向外側に突出して設けられている。被駆動ギヤ部７８は、その一部がシャッター操作窓５２からガイド溝５０内に突出している。
【００７６】
そして、被駆動ギヤ部７８は、上記シャッター部材１８を閉塞位置と開放位置との間で移動させるインナロータ２０の回動範囲において、該ガイド溝５０内を長手方向に移動するドライブ装置側の開閉部材である駆動ラック１００が、常に噛み合い可能となる範囲に設けられている。
【００７７】
本実施形態では、シャッター部材１８を閉塞位置に配置させたときに、ロック部材２２の後述する係合部８６が係合（噛み合い）可能な範囲まで、被駆動ギヤ部７８が設けられている。
【００７８】
これにより、駆動ラック１００がガイド溝５０内をケース１４に対し後方に移動すると、インナロータ２０が矢印Ｄ方向に回転して開口１６が開放され、駆動ラック１００がガイド溝５０内をケース１４に対し前方に移動すると、インナロータ２０が矢印Ｆ方向に回転して開口１６が閉塞される構成とされている。
【００７９】
また、環状壁７２から外側に突出した被駆動ギヤ部７８における矢印Ｆ側の端部は、閉塞側ストッパ部８０とされている。閉塞側ストッパ部８０は、シャッター部材１８を閉塞位置に配置させたときにケース１４の第１ストッパ３８と当接してインナロータ２０が閉塞位置を超えて矢印Ｆ方向に回転することを防止するようになっている（図６参照）。
【００８０】
一方、環状壁７２の外面における被駆動ギヤ部７８に対し矢印Ｄ側に所定距離（角度）だけ離間した位置からは、開放側ストッパ部８２が突設されている。開放側ストッパ部８２は、シャッター部材１８を開放位置に位置させているときにケース１４の第２ストッパ４０と当接してインナロータ２０が開放位置を超えて矢印Ｄ方向に回転することを防止するようになっている（図８参照）。
【００８１】
（ロック部材によるロック機構）
ところで、ロック部材２２は、平面視で略「へ」字状乃至略「く」字状に形成された本体部８４を備えている。本体部８４は、その屈曲部近傍においてケース１４のロック支軸３６に挿通されており、ケース１４に対し該ロック支軸３６廻りに揺動可能に支持されている。
【００８２】
本体部８４の一端部は、インナロータ２０の被駆動ギヤ部７８に噛み合い可能な係合部８６とされており、ロック部材２２は、係合部８６が被駆動ギヤ部７８に噛み合った状態でインナロータ２０のケース１４に対する回動を阻止する構成である。
【００８３】
また、本体部８４の他端部は、該本体部８４のロック支軸３６廻りの回動に伴ってロック解除窓５４からガイド溝５０に対し進退する解除操作部８８とされている。ロック部材２２は、係合部８６が被駆動ギヤ部７８に噛み合った状態で解除操作部８８をガイド溝５０内に突出させるようになっており、ガイド溝５０内を後方に移動する駆動ラック１００によって解除操作部８８が後方へ押圧されると、本体部８４が矢印Ｇ方向に揺動して係合部８６の被駆動ギヤ部７８との噛み合いを解除する構成である（図７参照）。
【００８４】
さらに、本体部８４の屈曲部近傍からは、その係合部８６側部分の前側に並行するように板ばね部９０が延設されている。板ばね部９０は、本体部８４に近接する方向に弾性変形した状態でケース１４の前側の周壁３０に当接しており、本体部８４を矢印Ｇとは反対方向に常に付勢するようになっている。この板ばね部９０の付勢力によって、ロック部材２２は係合部８６と被駆動ギヤ部７８との噛み合いを維持するようになっている。
【００８５】
これにより、不使用時には、インナロータ２０の回動が阻止され、一対のシャッター部材１８による開口１６の閉塞状態が維持される構成である。また、上記の如き駆動ラック１００によるロック解除状態から解除操作部８８と駆動ラック１００との係合が解除されると、ロック部材２２は、板ばね部９０の付勢力によって係合部８６を被駆動ギヤ部７８に噛み合わせるロック状態に復帰するようになっている。
【００８６】
（作用）
次に、上記構成によるディスクカートリッジ１０の作用について説明する。
【００８７】
このディスクカートリッジ１０では、図６に示される如く、保管時や運搬時等の不使用時には一対のシャッター部材１８が閉塞位置に位置して開口１６を閉塞している。この状態でロック部材２２の係合部８６がインナロータ２０の被駆動ギヤ部７８に係合して該インナロータ２０の矢印Ｄ方向への回転が阻止されており、一対のシャッター部材１８が閉塞位置に保持されている。すなわち、開口１６の閉塞状態が維持されている。
【００８８】
また、ディスクカートリッジ１０を使用する際、すなわちディスクメディア１２に情報を記録する際またはディスクメディア１２に記録された情報を再生する際には、ディスクカートリッジを矢印Ａ方向に沿ってドライブ装置に装填する。この装填動作（ディスクカートリッジ１０とドライブ装置との相対移動）に伴って、ドライブ装置の駆動ラック１００がケース１４のガイド溝５０に入り込み、該ガイド溝５０内を相対的に後方へ移動する。
【００８９】
これにより、図７に示される如く、ロック部材２２の解除操作部８８が駆動ラック１００によって押圧され、ロック部材２２は、板ばね部９０の付勢力に抗して本体部８４が矢印Ｇ方向に揺動する。
【００９０】
このため、係合部８６の被駆動ギヤ部７８との係合状態が解除され、インナロータ２０が回動可能状態となる。駆動ラック１００が解除操作部８８との当接状態を維持しつつさらに後方に移動すると、該駆動ラック１００は被駆動ギヤ部７８と噛み合いながらインナロータ２０を矢印Ｄ方向に回転させる。
【００９１】
このインナロータ２０の矢印Ｄ方向への回転によって、一対のシャッター部材１８は、矢印Ｄ方向の回転に追従しつつ、カム溝６６の溝壁がカム突起５６に押圧されて支持突起７６廻りに矢印Ｅ方向にも回転する。
【００９２】
すなわち、一対のシャッター部材１８が開口１６の開放方向にそれぞれ移動する。そして、ディスクカートリッジ１０が所定深さまでドライブ装置に装填され駆動ラック１００との相対移動がなくなると、図８に示される如く、一対のシャッター部材１８は開放位置に至り、開口１６が完全に開放される。
【００９３】
この状態からインナロータ２０をさらに矢印Ｄ方向に回転しようとすると、該インナロータ２０の開放側ストッパ部８２がケース１４の第２ストッパ４０に当接し、インナロータ２０の開放位置を超えた矢印Ｄ側への回転が阻止される。
【００９４】
次いで、ドライブ装置内ではディスクカートリッジ１０が位置決めされ、この位置決め状態で開口１６のハブ孔１６Ａからはドライブ装置の回転スピンドル軸が進入し、該回転スピンドル軸がディスクメディア１２のセンタ孔１２Ａ（及びチャッキングエリア１２Ｃ）に係合して該ディスクメディア１２を保持する。そして、回転スピンドル軸が回転すると、ディスクメディア１２がケース１４内で非接触で回転駆動される。
【００９５】
また、開口１６の記録再生ヘッド用窓部１６Ｂからはドライブ装置の記録再生ヘッドが進入する。この記録再生ヘッドによって、ディスクメディア１２の記録面１２Ｂに情報が記録され、または記録面１２Ｂに記録された情報が再生される（ディスクメディア１２が使用される）。
【００９６】
ディスクメディア１２の使用後には、ディスクカートリッジ１０がドライブ装置から排出される。この排出動作に伴って、駆動ラック１００がガイド溝５０内を相対的に前方へ移動する。この駆動ラック１００の移動によってインナロータ２０が矢印Ｆ方向へ回転する。このインナロータ２０の矢印Ｆ方向への回転によって、一対のシャッター部材１８は、矢印Ｆ方向の回転に追従しつつ、カム溝６６の溝壁がカム突起５６に押圧されて支持突起７６廻りに矢印Ｈ方向にも回転し、閉塞側へ移動する（図７参照）。
【００９７】
そして、駆動ラック１００が被駆動ギヤ部７８との噛み合いが解除される位置まで移動すると、図６に示される如く、一対のシャッター部材１８が閉塞位置へ至り、開口１６が完全に閉塞される。
【００９８】
この状態からインナロータ２０をさらに矢印Ｆ方向に回転しようとすると、該インナロータ２０の閉塞側ストッパ部８０がケース１４の第１ストッパ３８に当接し、インナロータ２０の閉塞位置を超えた矢印Ｆ側への回転が阻止される。
【００９９】
駆動ラック１００が前方へ移動してロック部材２２の解除操作部８８との係合状態が解除されると、ロック部材２２の本体部８４は板ばね部９０の付勢力によって矢印Ｇとは反対方向に揺動し、係合部８６が被駆動ギヤ部７８に係合する。これにより、インナロータ２０の回動が阻止され、一対のシャッター部材１８が閉塞位置に保持される初期状態に復帰する。この状態でディスクカートリッジ１０はドライブ装置から完全に排出される。
【０１００】
このようにディスクカートリッジ１０を使用すると、シャッター部材１８が開放状態になったときに開口７４からケース１４内に塵埃が進入する。ここで、本実施形態では、下シェル２６のコーナーゾーン２５Ｒ、２５Ｌには粘着シート２７Ｒ、２７Ｌがそれぞれ設けられているので、ディスクメディア１２の回転による空気流等によってケース１４内で浮遊している塵埃を粘着シート２７Ｒ、２７Ｌに吸着させて除去することができる。しかも、粘着シート２７Ｒ、２７Ｌがそれぞれ設けられているコーナーゾーン２５Ｒ、２５Ｌは、ケース１４の後端側であり、先端側から入り込んだ塵埃が滞留し易い位置であるので、ケース１４内の塵埃を効率的に除去することができる。
【０１０１】
また、補強リブ２３Ｒ、２３Ｌには、それぞれ、切欠２９Ｒ、２９Ｌが形成されており、ケース１４内の塵埃がコーナーゾーン２５Ｒ、２５Ｌに入り易い。
【０１０２】
更に、インナロータ２０の環状壁７２にも切欠７３Ｒ、７３Ｌが形成されており、シャッター部材１８を開放位置とする位置にインナロータ２０回動したときに、この切欠７３Ｒ、７３Ｌが補強リブ２３Ｒ、２３Ｌの切欠２９Ｒ、２９Ｌと重なり合うようにされている。従って、インナロータ２０内の塵埃を効率良くコーナーゾーン２５Ｒ、２５Ｌに運搬することができる。
【０１０３】
また、粘着シート２７Ｒ、２７Ｌは市販の両面粘着シートであるので、粘着シート２７Ｒ、２７Ｌをコーナーゾーン２５Ｒ、２５Ｌにそれぞれ設ける際、市販の粘着シートを切断して下シェル２６の底面に貼りつければ良い。従って、粘着シート２７Ｒ、２７Ｌの設置が著しく容易である。
【０１０４】
［変形例］
次に、上記実施形態の変形例を説明する。本変形例では、上記の実施形態と同様の構成要素には同じ符号を付してその説明を省略する。
【０１０５】
図９に示すように、本変形例のディスクカートリッジ１１０は、インナロータ１１２を構成する円板部１１４に多数の開孔１１６が形成されている。
【０１０６】
開孔１１６の径は何れも１ｍｍφ程度であり、単位面積あたりの開孔数は、円板部１１４のの内周部１１４Ｉよりも外周部１１４Ｅのほうが多い。
【０１０７】
これにより、インナロータから塵埃を下方へ排出することができる。また、インナロータ１１２内では、塵埃は外周部１１４Ｅのほうへ浮遊していくので、単位面積あたりの開孔数が多い外周部１１４Ｅから効率的に塵埃を下方へ排出することができる。
【０１０８】
なお、シャッター部材１８にも、同様に開孔を設けることにより、更に効率的に塵埃を排出することができる。この場合、開口７４を閉塞状態としたときに開口７４の下側に位置するシャッター部材部分には開孔を設けないことが、ディスクカートリッジ１１０を使用していない状態で塵埃がケース１４内に進入することを防止する上で好ましい。
【０１０９】
以上、実施形態を挙げて本発明の実施の形態を説明したが、上記実施形態は一形態であり、要旨を逸脱しない範囲内で種々変更して実施できる。例えば、粘着シート２７Ｒ、２７Ｌの配置位置を変更することや、開孔１１６の径や個数などを変更することが可能である。更には、開孔１１６の径を不均一にすることも可能である。
【０１１０】
また、上記の実施の形態では、ケース１４の下方にのみ開口１６が形成された構成としたが、本発明はこれに限定されず、例えば、上下両面に記録面１２Ｂが設けられたディスクメディアを収容するケース１４では、天板２８にも一対のシャッター部材１８にて開閉される開口１６を設けても良い。一方、下面のみに記録面１２Ｂが設けられたディスクメディア１２を収容するケース１４では、天板２８にディスクメディア１２の交換を可能とする交換用開口を設けても良い。
【０１１１】
また、上記の実施の形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。
【図面の簡単な説明】
【０１１２】
【図１】本発明の実施の形態に係るディスクカートリッジの外観を示す斜視図である。
【図２】本発明の実施の形態に係るディスクカートリッジの分解斜視図である。
【図３】本発明の実施の形態に係るディスクカートリッジを構成する上シェルの底面図である。
【図４】本発明の実施の形態に係るディスクカートリッジを構成する下シェルの平面図である。
【図５】本発明の実施の形態に係るディスクカートリッジを構成するインナロータ及びシャッター部材を上方から見た斜視図である。
【図６】本発明の実施の形態に係るディスクカートリッジの開口閉塞状態を示す下シェルを取り除いて見た底面図である。
【図７】本発明の実施の形態に係るディスクカートリッジの開口の閉塞または開放過程を示す下シェルを取り除いて見た底面図である。
【図８】本発明の実施の形態に係るディスクカートリッジの開口開放状態を示す下シェルを取り除いて見た底面図である。
【図９】本発明の実施の形態の変形例に係るディスクカートリッジの分解斜視図である。
【図１０】従来のディスクカートリッジの分解斜視図である。
【符号の説明】
【０１１３】
１０    ディスクカートリッジ
１２    ディスクメディア
１４    ケース
１６    開口
１８    シャッター部材
２０    インナロータ
２１Ｒ、Ｌ    コーナー部
２７Ｒ、Ｌ    粘着シート
７０    円板部
７２    環状壁（ガイドリブ）
７３Ｒ、Ｌ    切欠
１１０    ディスクカートリッジ
１１２    インナロータ
１１４    円板部
１１４Ｅ    外周部
１１４Ｉ    内周部
１１６    開孔
２００    ディスクカートリッジ
２０２    ディスクメディア
２０４    ケース
２０６    開口
２０８    シャッター部材
２１０    インナロータ
【図１】
2005129135.tif 000003
【図２】
2005129135.tif 000004
【図３】
2005129135.tif 000005
【図４】
2005129135.tif 000006
【図５】
2005129135.tif 000007
【図６】
2005129135.tif 000008
【図７】
2005129135.tif 000009
【図８】
2005129135.tif 000010
【図９】
2005129135.tif 000011
【図１０】
2005129135.tif 000012